(57)【要約】【課題】高効率且つ高精度にビーム軸の位置ずれを検出して補正する荷電粒子ビーム描画装置および荷電粒子ビームのビーム軸の位置ずれ補正方法を提供する。【解決手段】電子ビーム描画装置１は、電子ビームを照射する電子銃２と、電子ビーム１５のビーム軸の下流方向に順次配置されたアライナ１４と、ブランキング電極６と、偏向器７と、第１成形アパーチャ１１とを有する。第１成形アパーチャ１１上には、位置ずれ検出電極１３が設けられている。ブランキング電極６と偏向器７を駆動して電子ビーム１５の軌道を制御し、電子ビーム１５を位置ずれ検出電極１３に照射する。位置ずれ検出電極１３を構成する各電極部に流れ込む電流量から電子ビームのビーム軸の位置ずれに関する情報を取得する。この情報は、アライナ１４にフィードバックされて電子ビームのビーム軸が補正される。【選択図】図１
2011129770.tif 000002
【特許請求の範囲】
【請求項１】
荷電粒子ビームを照射するビーム照射手段と、前記ビーム照射手段から照射された荷電粒子ビームを所望の寸法と形状に成形するアパーチャとを備えた荷電粒子ビーム描画装置において、
前記アパーチャ上には位置ずれ検出電極が設けられていて、前記ビーム照射手段と前記アパーチャの間には、アライナ、ブランキング電極および偏向器がこの順に配置されており、
前記ブランキング電極と前記偏向器により前記荷電粒子ビームの軌道を制御して、前記荷電粒子ビームを前記位置ずれ検出電極に照射し、前記位置ずれ検出電極に流れ込む電流量から取得した前記荷電粒子ビームのビーム軸の位置ずれに関する情報を前記アライナにフィードバックして前記位置ずれを補正するよう構成されたことを特徴とする荷電粒子ビーム描画装置。
【請求項２】
前記位置ずれ検出電極は、スリットによって３つ以上の電極部に分割された構造を有しており、
前記荷電粒子ビームの照射により前記電極部のそれぞれに流れ込む電流量から前記情報を取得することを特徴とする請求項１に記載の荷電粒子ビーム描画装置。
【請求項３】
前記位置ずれ検出電極は、直交する２本のスリットによって４つの電極部に分割された構造を有することを特徴とする請求項２に記載の荷電粒子ビーム描画装置。
【請求項４】
荷電粒子ビームを照射するビーム照射手段と、前記ビーム照射手段から照射された荷電粒子ビームを所望の寸法と形状に成形するアパーチャと、前記アパーチャ上に設けられた位置ずれ検出電極と、前記ビーム照射手段と前記アパーチャの間に順に配置されたアライナ、ブランキング電極および偏向器とを備えた荷電粒子ビーム描画装置における荷電粒子ビームのビーム軸の位置ずれ補正方法であって、
前記ブランキング電極と前記偏向器により前記荷電粒子ビームの軌道を制御して、前記荷電粒子ビームを前記位置ずれ検出電極に照射し、前記位置ずれ検出電極に流れ込む電流量から取得した前記荷電粒子ビームのビーム軸の位置ずれに関する情報を前記アライナにフィードバックして前記位置ずれを補正することを特徴とする荷電粒子ビームのビーム軸の位置ずれ補正方法。
【請求項５】
前記荷電粒子ビーム描画装置は、複数の短冊状のフレーム領域に分割されているパターンを試料上に描画するものであり、
１のフレーム領域での荷電粒子ビームによる描画を終えた後、次のフレーム領域での荷電粒子ビームによる描画を開始するまでの間に、
前記ブランキング電極と前記偏向器により前記荷電粒子ビームの軌道を制御して、前記荷電粒子ビームを前記位置ずれ検出電極に照射し、前記位置ずれ検出電極に流れ込む電流量から取得した前記荷電粒子ビームのビーム軸の位置ずれに関する情報を前記アライナにフィードバックして前記位置ずれを補正することを特徴とする請求項４に記載の荷電粒子ビームのビーム軸の位置ずれ補正方法。
【発明の詳細な説明】
【技術分野】
【０００１】
本発明は、荷電粒子ビーム描画装置および荷電粒子ビームのビーム軸の位置ずれ補正方法に関する。
【背景技術】
【０００２】
近年、半導体集積回路の高集積化に伴って、ＬＳＩ（Ｌａｒｇｅ  Ｓｃａｌｅ  Ｉｎｔｅｇｒａｔｉｏｎ）のパターンは、より微細化および複雑化する傾向にある。パターンの転写に使用されている深紫外線光の波長は１９３ｎｍであるのに対して、転写しようとするパターンのサイズは波長よりも短い。この微細化の要求に伴い、リソグラフィ技術の複雑化も加速している。しかし、ＬＳＩを大量に生産するため、原画であるマスク上に描かれたパターンをウェハ上に転写していくことが可能なリソグラフィ技術において、製品毎に異なるマスクパターンのデザイン変更に対する自由度が必要である。そのため、マスクに対するパターン描画は、これまで通り電子ビーム描画装置を使用した電子ビームリソグラフィ技術が使用されている。
【０００３】
電子ビームリソグラフィ技術は、利用する電子ビームが荷電粒子ビームであるために、本質的に優れた解像度を有している。このため、ウェハにＬＳＩパターンを転写する際の原版となるマスクまたはレチクルの製造現場においても、電子ビームリソグラフィ技術が広く一般に使われている。さらに、電子ビームリソグラフィ技術を用いて、ウェハ上にパターンを直接描画する電子ビーム描画装置がＤＲＡＭを代表とする最先端デバイスの開発に適用されている他、一部ＡＳＩＣの生産にも用いられている。
【０００４】
従来の電子ビーム描画装置では、電子ビームを照射するビーム照射手段である電子銃と、第１成形アパーチャと、第２成形アパーチャと、成形偏向器とを有し、さらに電子ビームを集束するためのいくつかの電子レンズを有する。そして、電子銃から照射された電子ビームによる第１成形アパーチャの像を第２成形アパーチャに結像するとともに、成形偏向器により偏向し、第１成形アパーチャ像を第２成形アパーチャに光学的に重ね合わせて電子ビームの寸法と形状を可変成形する。これにより、電流密度が均一で矩形や三角形等の基本単位図形状に成形された電子ビームを、描画対象であるマスク上に高精度に繋いでパターンを描画する。
【０００５】
この種の電子ビーム描画装置では、電流密度が均一であって所望の形状に成形された電子ビームを得るため、描画対象であるマスクに向けて照射される電子ビームのビーム電流を安定させる必要がある。
【０００６】
ビーム電流の安定化を妨げる要因には、電子ビームのビーム軸の位置ずれが挙げられる。ビーム軸の位置ずれは、本来、電子ビーム描画装置の光学系の軸に一致するよう設定されていたビーム軸が、何らかの原因でずれてしまう現象である。この原因は、電子ビームを発する電子銃が所定の位置からずれることにあるとも考えられている。
【０００７】
電子ビームのビーム軸の位置ずれは、成形ビームの場合、電流密度の変動を引き起こすことになる。このため、電子ビーム描画装置でビーム軸の位置ずれを検出して所定の位置に戻すよう補正する必要がある。従来の電子ビーム描画装置としては、ビーム軸の位置ずれ検出が可能で電子ビームのビーム軸調整機構を有するものが開示されている。例えば、試料に電子ビームを照射して試料に流れる電流を測定したり、電子ビームの経路内に置いたファラデーカップを用いてビーム電流を測定したりして、電子ビームのビーム軸の位置ずれ量を求め、この位置ずれ量に基づいて電子ビームの軸合わせを行う装置が知られている。しかし、このような従来の電子ビーム描画装置では、試料に流れる電流やビーム電流を測定する必要があるため、ビーム軸の位置ずれ検出をする際には試料への描画作業を一時的に中断しなければならなかった。
【０００８】
特許文献１には、荷電粒子ビーム源の下流の光軸上にアパーチャを備えた電極を配置した荷電粒子ビーム装置が開示されている。この装置では、光軸上に配置された電極により荷電粒子ビーム周辺部の状態をモニタしながら荷電粒子ビームを偏向させて走査させる。そして、荷電粒子ビームの出射方向の分布を求め、この分布から荷電粒子ビームのビーム軸と光軸とのずれ、すなわち、ビーム軸の位置ずれを検出し、検出された位置ずれに基づいて荷電粒子ビームのビーム軸の位置ずれを補正する。
【先行技術文献】
【特許文献】
【０００９】
【特許文献１】特開２００４−１３４３００号公報
【発明の概要】
【発明が解決しようとする課題】
【００１０】
特許文献１の荷電粒子ビーム装置では、ビーム軸の位置ずれ検出とビーム軸の位置ずれ補正を、試料への荷電粒子ビームの照射と同時に行うことができる。すなわち、ビーム軸の位置ずれ検出と位置ずれ補正に際し、試料へのビーム照射作業を中断する必要がない。しかしながら、この装置では、荷電粒子ビームの出射方向分布からビーム軸の位置ずれを検出する際に画像処理を行うことが必須とされている。したがって、処理作業に時間がかかり、荷電粒子ビーム照射作業のスループットを低下させてしまうという問題を有していた。
【００１１】
以上より、電子ビームのビーム軸の位置ずれが発生した場合に、試料への描画作業を中断することがなく、また、画像処理のような電子ビーム描画のスループットを低下させる処理を含まずに、ビーム軸の位置ずれ検出と位置ずれ補正が可能である電子ビーム描画装置と、電子ビームのビーム軸の位置ずれ補正方法とが求められている。
【００１２】
本発明は、こうした点に鑑みてなされたものである。すなわち、本発明の目的は、試料への描画作業を一時的に中断することなく、高効率で高精度な電子ビームのビーム軸の位置ずれ検出と位置ずれ補正を可能とする電子ビーム描画装置の提供することにある。
また、本発明の他の目的は、試料への描画作業を一時的に中断することなく、ビーム軸の位置ずれを検出してそれを補正することのできる荷電粒子ビームのビーム軸の位置ずれ補正方法を提供することにある。
【００１３】
本発明の他の目的および利点は、以下の記載から明らかとなるであろう。
【課題を解決するための手段】
【００１４】
本発明の第１の態様は、荷電粒子ビームを照射するビーム照射手段と、ビーム照射手段から照射された荷電粒子ビームを所望の寸法と形状に成形するアパーチャとを備えた荷電粒子ビーム描画装置において、
アパーチャ上には位置ずれ検出電極が設けられていて、ビーム照射手段とアパーチャの間には、アライナ、ブランキング電極および偏向器がこの順に配置されており、
ブランキング電極と偏向器により荷電粒子ビームの軌道を制御して、荷電粒子ビームを位置ずれ検出電極に照射し、位置ずれ検出電極に流れ込む電流量から取得した荷電粒子ビームのビーム軸の位置ずれに関する情報をアライナにフィードバックして位置ずれを補正するよう構成されたことを特徴とするものである。
【００１５】
位置ずれ検出電極は、スリットによって３つ以上の電極部に分割された構造を有しており、
荷電粒子ビームの照射により電極部のそれぞれに流れ込む電流量から位置ずれに関する情報を取得することが好ましい。
【００１６】
特に、位置ずれ検出電極は、直交する２本のスリットによって４つの電極部に分割された構造を有しており、
荷電粒子ビームの照射により電極部のそれぞれに流れ込む電流量から位置ずれに関する情報を取得することが好ましい。
【００１７】
本発明の第２の態様は、荷電粒子ビームを照射するビーム照射手段と、ビーム照射手段から照射された荷電粒子ビームを所望の寸法と形状に成形するアパーチャと、アパーチャ上に設けられた位置ずれ検出電極と、ビーム照射手段とアパーチャの間に順に配置されたアライナ、ブランキング電極および偏向器とを備えた荷電粒子ビーム描画装置における荷電粒子ビームのビーム軸の位置ずれ補正方法であって、
ブランキング電極と偏向器により荷電粒子ビームの軌道を制御して、荷電粒子ビームを位置ずれ検出電極に照射し、位置ずれ検出電極に流れ込む電流量から取得した荷電粒子ビームのビーム軸の位置ずれに関する情報をアライナにフィードバックして位置ずれを補正することを特徴とするものである。
【００１８】
荷電粒子ビーム描画装置は、複数の短冊状のフレーム領域に分割されているパターンを試料上に描画するものであり、
１のフレーム領域での荷電粒子ビームによる描画を終えた後、次のフレーム領域での荷電粒子ビームによる描画を開始するまでの間に、
ブランキング電極と偏向器により荷電粒子ビームの軌道を制御して、荷電粒子ビームを位置ずれ検出電極に照射し、位置ずれ検出電極に流れ込む電流量から取得した荷電粒子ビームのビーム軸の位置ずれに関する情報をアライナにフィードバックして位置ずれを補正することが好ましい。
【発明の効果】
【００１９】
本発明の第１の態様によれば、試料への描画作業を中断することなく、高効率で高精度な電子ビームのビーム軸の位置ずれ検出と位置ずれ補正を可能とする電子ビーム描画装置が提供される。
【００２０】
本発明の第２の態様によれば、試料への描画作業を中断することなく、ビーム軸の位置ずれを検出してそれを補正することができる。
【図面の簡単な説明】
【００２１】
【図１】本実施の形態における電子ビーム描画装置の光学系の概略構成を示す模式的な構成図である。
【図２】本実施の形態の電子ビーム描画装置を使用した電子ビームによる描画方法の説明図である。
【図３】本実施の形態の電子ビーム描画装置の要部構成を説明する説明図である。
【図４】位置ずれ検出電極を用いた本実施の形態における電子ビームのビーム軸の位置ずれ検出の原理を説明する図である。
【図５】第１電極部に流れ込む電流のモニタ結果を模式的に示した図である。
【図６】第２電極部に流れ込む電流のモニタ結果を模式的に示した図である。
【図７】第３電極部に流れ込む電流のモニタ結果を模式的に示した図である。
【図８】第４電極部に流れ込む電流のモニタ結果を模式的に示した図である。
【発明を実施するための形態】
【００２２】
図１は、本実施の形態における電子ビーム描画装置の光学系の概略構成を示す模式的な構成図である。
【００２３】
図１において、電子ビーム描画装置１は、電子銃２、電子レンズ３、４、５、９、１０、ブランキング電極６、偏向器７、成形偏向器８、第１成形アパーチャ１１、第２成形アパーチャ１２、位置ずれ検出電極１３、アライナ１４、ビーム走査用の主偏向器１６、および、ビーム走査用の副偏向器１７等から光学系を構成している。そして、さらに電子ビーム描画装置１はステージ（図示されない）等を用いて、荷電粒子ビームである電子ビームを使用して描画対象の基板であるマスク３２上に描画を行うよう構成されている。
【００２４】
すなわち、この電子ビーム描画装置１では、電子ビーム源である電子銃２から照射された電子ビーム１５は、電子レンズ３、４により集束され、第１成形アパーチャ１１に照射される。第１成形アパーチャ１１の開口部を透過した電子ビーム１５は、電子レンズ５により集束され、第２成形アパーチャ１２上に投影結像される。
そして、第１成形アパーチャ１１と第２成形アパーチャ１２との間には成形偏向器８が配設されている。この成形偏向器８により、第１成形アパーチャ１１を透過した電子ビーム１５の、第２成形アパーチャ１２上での照射位置を選択できるようになっている。
【００２５】
第２成形アパーチャを透過した電子ビーム１５は、電子レンズ９、１０により集束され、ステージ（図示されない）上に載置された描画対象の基板であるマスク３２上に結像される。そして、ビーム走査用の主偏向器１６および副偏向器１７によりマスク３２上での電子ビームの照射位置が可変となるように構成されている。
【００２６】
図２は、本実施の形態の電子ビーム描画装置を使用した電子ビームによる描画方法の説明図である。この図に示すように、マスク３２上に描画されるパターン５１は、短冊状のフレーム領域５２に分割されている。電子ビーム１５による描画は、ステージ（図示されない）が一方向（例えば、光学系の光軸（Ｚ方向）と直交する２軸方向のうちのＸ方向）に連続移動しながら、フレーム領域５２毎に行われる。フレーム領域５２は、さらに副偏向領域５３に分割されており、電子ビーム１５は、副偏向領域５３内の必要な部分のみを描画する。尚、フレーム領域５２は、主偏向器１６の偏向幅で決まる短冊状の描画領域であり、副偏向領域５３は、副偏向器１７の偏向幅で決まる単位描画領域である。
【００２７】
副偏向領域５３内での電子ビーム１５の位置決めは、副偏向器１７で行われる。副偏向領域５３の位置制御は、主偏向器１６によってなされる。すなわち、主偏向器１６によって、副偏向領域５３の位置決めがされ、副偏向器１７によって、副偏向領域５３内でのビーム位置が決められる。
【００２８】
尚、上述のように、成形偏向器８とビーム成形用の第１成形アパーチャ１１と第２成形アパーチャ１２によって、電子ビーム１５の形状と寸法が決められる。そして、ステージ（図示されない）を一方向に連続移動させながら、副偏向領域５３内を描画し、１つの副偏向領域５３の描画が終了したら、次の副偏向領域５３を描画する。フレーム領域５２内の全ての副偏向領域５３の描画が終了したら、ステージを連続移動させる方向と直交する方向（例えば、光学系の光軸（Ｚ方向）と直交する２軸方向のうちのＹ方向）にステップ移動させる。その後、同様の処理を繰り返して、フレーム領域５２を順次描画して行く。
【００２９】
そして、本実施の形態の電子ビーム描画装置１では、上述のように、ブランキング電極６、偏向器７、位置ずれ検出電極１３、アライナ１４などを有することにより、電子ビームのビーム軸の位置ずれの検出が可能となっている。
したがって、後にも説明するように、全ての副偏向領域５３の描画が終了し、次のフレーム領域５２へステップする際に、本実施の形態の電子ビームのビーム軸の位置ずれ検出とビーム軸の位置ずれ補正を実施する。
【００３０】
以下、本実施の形態の電子ビーム描画装置１で行う電子ビームのビーム軸の位置ずれ検出とビーム軸の位置ずれ補正について説明する。
【００３１】
図３は、本実施の形態の電子ビーム描画装置の要部構成を説明する説明図である。
図１および図３に示すように、本実施の形態の電子ビーム描画装置１では、電子銃２の下流側であって、電子レンズ３と第１成形アパーチャ１１との間に、電子ビーム１５の軌道を制御するブランキング電極６と偏向器７とが配置されている。そして、第１成形アパーチャ１１上には位置ずれ検出電極１３が配置され、電子レンズ３とブランキング電極６との間にはアライナ１４が配置されている。
【００３２】
そして、図３に示すように、位置ずれ検出電極１３には、電流検出部３５が接続されている。そして、電流検出部３５はＡ／Ｄ変換部３６を介して演算制御部３７に接続している。一方、演算制御部３７は、アライナ１４に接続しており、後述するアライナ１４の動作制御を行う。
【００３３】
したがって、以上の構成を備える本実施の形態の電子ビーム描画装置１を用い、本実施の形態における電子ビームのビーム軸の位置ずれ検出は次のようにして行われる。
【００３４】
図３に示すように、電子ビーム描画装置１では、電子ビーム源である電子銃２から下流側に向けて電子ビーム１５が照射される。そしてこのとき、ブランキング電極６と偏向器７とを駆動させ、電子ビーム１５を偏向してビーム軸を光学系の光軸からずらす。そして、第１成形アパーチャ１１上に設けられた位置ずれ検出電極１３上を電子ビーム１５が照射するように軌道を制御する。このとき、ブランキング電極６は、主に、電子ビーム１５のビーム軸を曲げる役割を担う。そして、偏向器７は、軌道が曲げられた電子ビーム１５を位置ずれ検出電極１３上に導くように位置の微調整をする役割を担う。
【００３５】
図４は、位置ずれ検出電極１３を用いた本実施の形態における電子ビームのビーム軸の位置ずれ検出の原理を説明する図である。図４では、本実施の一形態である位置ずれ検出電極１３の構造と作用が分かるように、位置ずれ検出電極１３部分の平面図も示してある。
【００３６】
図４に示す本実施の一形態である位置ずれ検出電極１３は、４つの電極部、すなわち、第１電極部４１、第２電極部４２、第３電極部４３、および第４電極部４４（以下、第１電極部４１、第２電極部４２、第３電極部４３、および第４電極部４４をまとめて記述する場合は、４つの電極部４１、４２、４３、４４と記述する）からなる。そしてそれら４つの電極部４１、４２、４３、４４は、元々１つの円板状の電極であったものが、直交するスリット４５、４６によって４分割されたような、４分割された構成を有している。そして、位置ずれ検出電極１３のスリット４５、４６は互いに直交しており、スリット４５は、電子ビーム描画装置１における光学系の光軸（Ｚ方向）と直交する２軸方向（Ｘ方向およびＹ方向）のうちのＹ方向と一致する方向に伸びており、スリット４６は、Ｘ方向と一致する方向に伸びている。
【００３７】
尚、本実施の一形態である位置ずれ検出電極１３においては、直交するスリット４５、４６の交点は、４つの電極部４１、４２、４３、４４からなる位置ずれ検出電極１３全体の中心と実質的に一致している。したがって、４つの電極部４１、４２、４３、４４はそれぞれ互いに同じ形状で実質的に同じ面積を有している。
【００３８】
そして、図４に示すように、電子ビーム１５のビーム軸の位置ずれ検出のために、ブランキング電極６と偏向器７が駆動された場合、軌道を制御された電子ビーム１５は、第１成形アパーチャ１１上に配設された位置ずれ検出電極１３上を照射する。このとき、位置ずれ検出電極１３は、上述のように４つの電極部４１、４２、４３、４４に分割された構造を有しており、４つの電極部４１、４２、４３、４４のそれぞれに、電子ビーム１５の照射量に応じた電流が流れ込む。
【００３９】
ここで、図４に示すように、電子ビーム１５のビーム軸が電子ビーム描画装置１の光学系の光軸と一致している正常状態においては、電子ビーム１５中心と位置ずれ検出電極のスリット４５、４６の交点は実質的に一致するように、位置ずれ検出電極１３は配置されている。
【００４０】
したがって、本実施の一形態である位置ずれ検出電極１３においては、４つの電極部４１、４２、４３、４４に照射される電子ビーム量はそれぞれ同じ量となり、４つの電極部４１、４２、４３、４４に流れ込む電流量はそれぞれ実質的に等しい量となる。
【００４１】
そして、電子ビーム１５の照射によって、４つの電極部４１、４２、４３、４４のそれぞれに流れ込んだ電流は、それぞれ独立に電流検出部３５によって検出され、第１電極部４１における電流値Ｉ１、第２電極部４２における電流値Ｉ２、第３電極部４３における電流値Ｉ３、および第４電極部４４における電流値Ｉ４が取得される。
こうして取得された４つの電極部４１、４２、４３、４４における電流値Ｉ１〜Ｉ４は、Ａ／Ｄ変換部３６によりデジタル信号に変換され、演算制御部３７において、ビーム軸の位置ずれがない正常時における４つの電極部４１、４２、４３、４４各部での電流値Ｉ１〜Ｉ４として記憶される。
【００４２】
次に、演算制御部３７においては、４つの電極部４１、４２、４３、４４各部での電流値Ｉ１〜Ｉ４を用い、電子ビーム１５におけるビーム軸の位置ずれの変位方向と移動量が計算される。
【００４３】
その算出は、次式に従う。尚、Ｉｔは、電極部４１、４２、４３、４４に流れる電流値の合計であり、例えば、演算制御部３７で求められる。
（Ｘ方向の移動量）＝Ｉｔ×（Ｉ２＋Ｉ４−Ｉ１−Ｉ３）／２
（Ｙ方向の移動量）＝Ｉｔ×（Ｉ１＋Ｉ２−Ｉ３−Ｉ４）／２
ここで、Ｘ方向の移動量におけるＸ方向は、電子ビーム描画装置１における光学系の光軸（Ｚ方向）と直交する２軸方向（Ｘ方向およびＹ方向）のうちのＸ方向であり、位置ずれ検出電極１３におけるスリット４６の伸びる方向と一致する。また、Ｙ方向の移動量におけるＹ方向は、電子ビーム描画装置１における光学系の光軸（Ｚ方向）と直交する２軸方向（Ｘ方向およびＹ方向）のうちのＹ方向であり、位置ずれ検出電極１３におけるスリット４５の伸びる方向と一致する。
【００４４】
このとき、これらの機能を使用し、あらかじめビーム軸の位置ずれの変位方向とずれの量とが分かっている、基準となる電子ビームにおける４つの電極部４１、４２、４３、４４各部での電流値Ｉ１〜Ｉ４を測定しておく。そして、上記式に従うＸ方向の移動量とＹ方向の移動量を算出して、上記式によるＸおよびＹ方向の移動量と電子ビーム描画装置１におけるビーム軸の位置ずれの対応をとるための換算テーブルを作成しておく。そしてその換算テーブルをデータとして演算制御部３７に記憶しておく。
【００４５】
その結果、演算制御部３７では、上述の電子ビーム１５のビーム軸の位置ずれ検出において、上式により算出された電子ビーム１５におけるビーム軸の位置ずれの変位方向と移動量から、その換算テーブルを使用し、電子ビーム１５の実際の位置ずれの方向とずれ量を評価する。
【００４６】
尚、電子ビーム１５においては、ビーム軸が電子ビーム描画装置１の光学系の光軸と一致している正常状態にあり、上式のＸおよびＹ方向の移動量はいずれも値が０となり、換算表を使用しても演算制御部３７では、ずれ量は０と評価される。その結果、後に説明する、アライナ１４への実質的なフィードバックはなされない。
【００４７】
次に、電子ビームのビーム軸が光軸からずれた場合について説明する。
その場合、ビーム軸のずれた電子ビーム４７が、ブランキング電極６と偏向器７とにより軌道を制御され、図４に示すように、第１成形アパーチャ１１上に配設された位置ずれ検出電極１３上を照射する。そして、その場合、４つの電極部４１、４２、４３、４４のそれぞれに、ビーム軸のずれた電子ビーム４７の照射量に応じた電流が流れ込む。
【００４８】
そして、ビーム軸のずれた電子ビーム４７の照射によって、４つの電極部４１、４２、４３、４４のそれぞれに流れ込んだ電流は、上述と同様に、それぞれ独立に電流検出部３５によって検出され、第１電極部４１における電流値Ｉ１、第２電極部４２における電流値Ｉ２、第３電極部４３における電流値Ｉ３、および第４電極部４４における電流値Ｉ４が取得される。
【００４９】
こうして取得された４つの電極部４１、４２、４３、４４における電流値Ｉ１〜Ｉ４は、Ａ／Ｄ変換部３６によりデジタル信号に変換され、演算制御部３７において、ビーム軸の位置ずれのある異常時における４つの電極部４１、４２、４３、４４各部での電流値Ｉ１〜Ｉ４として記憶される。
【００５０】
次に、上述と同様、演算制御部３７において、これら４つの電極部４１、４２、４３、４４各部での電流値Ｉ１〜Ｉ４を用い、上記した式に従い、電子ビーム４７におけるビーム軸の位置ずれの変位方向と移動量が計算される。そして、演算制御部３７では、上述の電子ビーム４７のビーム軸の位置ずれ検出において、上式により算出された電子ビーム４７におけるビーム軸の位置ずれの変位方向と移動量から、上記換算テーブルデータを使用し、電子ビーム４７の実際の位置ずれの方向とずれ量を評価する。
【００５１】
その後、演算制御部３７は、評価した電子ビーム４７の位置ずれ方向とずれ量をアライナ１４にフィードバックする。このフィードバックにより、位置ずれを補正するようアライナ１４を制御する。そして、電子ビームの位置ずれ補正を実施し、電子ビームのビーム軸を光軸に一致させるようにする。
【００５２】
そして次に、図５〜図８を用い、本実施の形態の電子ビーム描画装置１を使用してマスク３２にパターンを描画する際の、電子ビームのビーム軸の位置ずれの発生と位置補正の状況を模式的に説明する。
【００５３】
すなわち、本実施の形態の電子ビーム描画装置１を使用し、試料であるマスク３２に電子ビームを照射してパターンを描画する。そして、上述のように、あるフレーム領域から次のフレーム領域５２へステップする毎に、上記した電子ビームのビーム軸の位置ずれ検出を行うようにする。すなわち、そのステップの際に、第１成形アパーチャ１１上に配設された位置ずれ検出電極１３上を電子ビームが照射するよう制御する。そして、そのときに、４つの電極部４１、４２、４３、４４のそれぞれに、電子ビームの照射量に応じた電流が流れ込むことになるが、その流れ込む電流をモニタする。そして特に、パターン描画の途中、ビーム軸の位置ずれが発生した場合には、ビーム軸の位置ずれ補正が行われるが、その際の４つの電極部４１、４２、４３、４４のそれぞれにおいて発生する電流値をモニタする。
【００５４】
その場合において、図５は、第１電極部４１に流れ込む電流のモニタ結果を模式的に示した図である。同様に、図６は、第２電極部４２に流れ込む電流のモニタ結果を模式的に示した図であり、図７は、第３電極部４３に流れ込む電流のモニタ結果を模式的に示した図であり、図８は、第４電極部４４に流れ込む電流のモニタ結果を模式的に示した図である。
すなわち、図５〜図８は、本実施の形態の電子ビーム描画装置１を使用してマスク３２にパターンを描画する際、対応する各電極部４１〜４４での経過時間に対する電流値をプロットした状況を模式的に示したグラフである。
【００５５】
図５〜８において、電子ビームのビーム軸に位置ずれがない通常の場合は、その位置ずれのない期間、流れ込む電流値は４つの電極部４１、４２、４３、４４のそれぞれでほぼ同じ値を示すことを表している。しかし、ある経過時間Ｔ１やＴ２で電子ビームのビーム軸の位置ずれが発生すると、位置ずれの状況に対応して、それぞれの電極部で電流値が通常時に比べ上昇したり、減少したりすることがわかる。
【００５６】
その場合、上述のように、演算制御部３７では、４つの電極部４１、４２、４３、４４各部での電流値の検出データから、Ｘ方向の移動量とＹ方向の移動量が算出され、電子ビームの実際の位置ずれの方向とずれ量の評価が行われる。そして、その評価結果はアライナ１４にフィードバックされ、電子ビームのビーム軸の位置ずれの補正が実施される。
【００５７】
その結果、本実施の形態の電子ビーム描画装置１は、電子ビームのビーム軸に位置ずれのない、通常の状態に復帰する。そのため、図５〜図８に示されるように、位置ずれ検出電極１３の４つの電極部４１、４２、４３、４４に流れ込む電流は正常な値に戻ることになる。こうして本実施の形態の電子ビーム描画装置１では、電子ビームの位置ずれ検出とその位置ずれの補正が行われ、常に高精度の電子ビーム描画が可能となっている。
【００５８】
このとき、演算制御部３７において、ビーム軸の位置ずれがある場合における４つの電極部４１、４２、４３、４４各部での電流値Ｉ１〜Ｉ４が記憶される際に、電流値Ｉ１〜Ｉ４についてそれぞれ閾値を設定しておくことも有効である。そして、電流値Ｉ１〜Ｉ４のうちの少なくとも１つがその設定した閾値を超えた場合に、上述の電子ビーム４７の位置ずれの変位方向と移動量の計算をし、実際の位置ずれの方向とずれ量を評価して、アライナ１４にフィードバックするようにすることも可能である。そうして、電子ビームの位置ずれ補正を実施し、電子ビームのビーム軸を光軸に一致させるようにすることも可能である。
【００５９】
尚、アライナ１４は、例えば、光学系の光軸を中心として挟んで、Ｘ方向と−Ｘ方向、およびＹ方向と−Ｙ方向に等間隔で配置された４つのコイルからなる偏向器の使用が可能である。そうしたアライナ１４では、電磁効果を利用して、Ｘ方向と−Ｘ方向、およびＹ方向と−Ｙ方向の任意の方向に所望の偏向量で電子ビームを偏向することを可能としている。
【００６０】
また、アライナ１４は、アライナ１４の駆動を制御するアライナ制御部（図示されない）を別に備えることも可能である。この場合、演算制御部３７による、アライナ１４への電子ビーム４７の位置ずれ方向とずれ量のフィードバックについては、アライナ１４の駆動を制御するアライナ制御部（図示されない）を介して行うこととすることも可能である。
【００６１】
そして、これらの機能を使用し、あらかじめビーム軸の位置ずれの方向とずれの量のフィードバックに対して、アライナ１４の駆動による電子ビーム偏向方向と偏向量を実測しておくことが好ましい。そして、電子ビーム描画装置１におけるビーム軸の位置ずれに対する、アライナ１４での電子ビーム偏向方向と偏向量との対応をとるための換算テーブルを作成しておく。そしてその換算テーブルをデータとして上述のアライナ制御部（図示されない）に記憶しておくことが好ましい。
【００６２】
その結果、アライナ制御部では、演算制御部３７からフィードバックされた電子ビーム１５におけるビーム軸の位置ずれの方向とずれ量から、その換算テーブルを使用し、必要となる電子ビーム偏向方向と偏向量を導出する。そして、それらに従い電子ビームを偏向して高精度の電子ビームの位置ずれ補正を実施し、電子ビームのビーム軸を光軸に一致させるようにする。尚、このようなアライナ制御部を別に設けることなく、演算制御部３７においてそうした機能も備えるようにすることも可能である。
【００６３】
また、本実施の形態の電子ビーム描画装置１では、図４に示すように、位置ずれ検出電極１３は、直交する２本のスリットによって分割されて、４つの電極部４１、４２、４３、４４からなる４分割構造を備えるが、全体としては、１つの円板形状を呈すると言える。しかし、位置ずれ検出電極１３は全体として、必ずしも円板形状である必要はない。平面図において正方形や長方形となる板状形状とすることなども可能である。
【００６４】
そうした場合に重要となるのは、直交する２本のスリットによって４分割された４つの電極部４１、４２、４３、４４各部の大きさと、位置ずれ検出電極１３全体の大きさである。すなわち、ビーム軸が電子ビーム描画装置１の光学系の光軸と一致している正常状態で、照射される電子ビームの全てを捕捉することができることが必要である。そして、さらに、電子ビームのビーム軸が光軸からずれた場合においても、その位置ずれの生じた電子ビームを全て捕捉できる程度の余裕のある大きさ（電極面積）を有することが必要である。
【００６５】
そして、位置ずれのない正常状態と位置ずれが生じた場合の両方の場合において、電子ビームを漏れなく捕捉できるのであれば、位置ずれ検出電極１３の全体および直交する２本のスリットによって４分割された４つの電極部４１、４２、４３、４４各部の形状については、特に問われず、所望の形状を選択しうる。
【００６６】
また、尚、本実施の形態の電子ビーム描画装置１では、位置ずれ検出電極１３は、直交する２本のスリットによって分割されて、４つの電極部４１、４２、４３、４４からなる分割構造を備えるが、位置ずれ検出電極のスリットによる分割数は４つのみに限るわけではない。
【００６７】
例えば、本実施の別の形態として、スリットによって位置ずれ検出電極を３分割して用いることも可能である。その場合、適当に設定された位置ずれ検出電極の１つの中心から３方向に３本のスリットが伸びるように、スリットを設けて位置ずれ検出電極を３分割することが好ましい。そして、そのとき、隣接するスリット間の角度の設定は、それぞれ１２０度とすることが好ましい。
そして、以上のように、位置ずれ検出電極を３分割して用いる場合、電子ビームにおけるビーム軸の位置ずれの変位方向と移動量の計算は、上記した式とは異なる、必要な補正のされた式を用いて行われる。
【００６８】
さらに、本実施の形態の電子ビーム描画装置では、位置ずれ検出電極を適当に配置されたスリットにより５分割や６分割や８分割などして用いることも可能である。その場合、電子ビームにおけるビーム軸の位置ずれの変位方向と移動量の計算は、上記した式とは異なる、必要な補正のされた式を用いて行われる。
【００６９】
そして、以上より、本実施の形態の電子ビーム描画装置では、位置ずれ検出電極のスリットによる分割数は４つのみに限るわけではなく、スリットによって位置ずれ検出電極を３分割以上して用いることが可能である。そうすることにより、電子ビームのビーム軸が光軸からずれた場合に、Ｘ方向の移動量とＹ方向の移動量を算出して、電子ビームの実際の位置ずれの方向とずれ量を評価することが可能である。そして、評価結果をアライナにフィードバックして、電子ビームのビーム軸の位置ずれの高精度の補正をすることが可能となる。
【００７０】
以上のように、本実施の形態の電子ビーム描画装置１では、電子ビームのビーム軸が光軸からずれた場合において、その電子ビームのビーム軸の位置ずれ検出とビーム軸の位置ずれ補正が可能であるが、そのような位置ずれ検出と補正の好ましいタイミングについて、次に説明する。
【００７１】
本実施の形態の電子ビーム描画の方法については、上記したが、短冊状のフレーム領域５２内の全ての副偏向領域５３の描画が終了したら、ステージを連続移動させる方向と直交する方向（例えば、光学系の光軸（Ｚ方向）と直交する２軸方向のうちのＹ方向）にステップ移動させる。その後、同様の処理を繰り返して、フレーム領域５２を順次描画して行く。
したがって、全ての副偏向領域５３の描画が終了し、次のフレーム領域５２へのステップの際に、上記した電子ビームのビーム軸の位置ずれ検出とビーム軸の位置ずれ補正を行うことが好ましい。
【００７２】
このようなタイミングで電子ビームのビーム軸の位置ずれ検出と、その結果に基づくフィードバックによって、ビーム軸の位置ずれ補正を行うことにより、マスクなど試料への描画作業を一時的に中断する必要がなく、また、電子ビーム描画作業の効率を低下させることはない。そして、そうしたタイミングで多数回の高精度の電子ビーム軸調整を行うことにより、高精度の電子ビーム描画が可能となる。
【００７３】
尚、本発明は、上記実施の形態に限定されるものではなく、本発明の趣旨を逸脱しない範囲内において、種々変形して実施することができる。
【００７４】
例えば、上記実施の形態では電子ビームを用いたが、本発明はこれに限られるものではなく、イオンビームなどの他の荷電粒子ビームを用いた場合にも適用可能である。
【符号の説明】
【００７５】
１    電子ビーム描画装置
２    電子銃
３、４、５、９、１０    電子レンズ
６    ブランキング電極
７    偏向器
８    成形偏向器
１１    第１成形アパーチャ
１２    第２成形アパーチャ
１３    位置ずれ検出電極
１４    アライナ
１５、４７    電子ビーム
１６    主偏向器
１７    副偏向器
３２    マスク
３５    電流検出部
３６    Ａ／Ｄ変換部
３７    演算制御部
４１    第１電極部
４２    第２電極部
４３    第３電極部
４４    第４電極部
４５、４６  スリット
５１    描画されるパターン
５２    フレーム領域
５３    副偏向領域
【図１】
2011129770.tif 000003
【図２】
2011129770.tif 000004
【図３】
2011129770.tif 000005
【図５】
2011129770.tif 000006
【図６】
2011129770.tif 000007
【図７】
2011129770.tif 000008
【図８】
2011129770.tif 000009
【図４】
2011129770.tif 000010